(57)【要約】      （修正有）【課題】照明器具の放熱効率を向上させるとともに、作業性および意匠性を向上させる。【解決手段】照明器具において、放熱部２００は、光源が取り付けられる基板取付面２０１と、概基板取付面の裏面２０１ｃの側に設けられた少なくとも２つの放熱フィン２１１とを備える。２つの放熱フィン２１１の間に設けられ、光源に接続する電源線が挿入される電源挿通孔２２０が形成されている。また、照明器具は、略コの字状に形成され、端部が放熱フィン２１１を挟むように取り付けられたアーム部を備える。【選択図】図５
2020115470.tif 000002
【特許請求の範囲】
【請求項１】
光源が取り付けられる基板取付面と、
前記基板取付面の裏面の側に設けられた少なくとも２つの放熱フィンと、を備え、
前記２つの放熱フィンの間に設けられ、前記光源に接続する電源線が挿入される電源挿通孔が形成された照明器具。
【請求項２】
略コの字状に形成され、端部が前記放熱フィンを挟むように取り付けられたアーム部を備えた請求項１に記載の照明器具。
【発明の詳細な説明】
【技術分野】
【０００１】
本発明は、照明器具に関するものであり、特に、発光素子を光源とする照明器具に関するものである。
【背景技術】
【０００２】
近年、任意の方向へ光を照らすスポットライト型の照明器具において、光源にＬＥＤなどの発光素子を用いたものが多くみられる。
このスポットライト型照明器具は、所定の対象物を明るく照らすとともに、室内に設置され、意匠性を求められる事もある。
その為、発光素子を効率良く点灯させる為の放熱機構と、意匠性を考慮した外装部材を備えたものが多数ある。
【０００３】
例えば、特許文献１に記載の照明器具は、照明器具本体部がコの字状のブラケットに所定角度回転可能に保持されている。この照明器具本体部は、発光素子が実装された基板と、基板裏面（発光素子と反対面）が当接し取り付けられる取付面を有し基板からの熱を放熱する放熱部と、有底略筒形状であり放熱用の溝孔が形成され放熱部を覆うように取り付けられる外装部とを備えており、外装部により意匠性の確保（向上）と、埃などが放熱部に蓄積し放熱機能の阻害になることを防いでいる。
【０００４】
また、特許文献２に記載の照明器具は、特許文献１の照明器具と同じように発光素子が実装された基板と、基板が取り付けられる取付面と取付面裏面（基板が取り付けられた面と反対面）から突出し形成されている放熱フィンを有する放熱部と、放熱部を覆う外装部とからなる照明器具本体部を有している。
この特許文献２の照明器具本体部の外装部は、放熱部の発光素子と反対側の外装部側面と、所定角度回動時に上方向に向く外装部側面に開口部が形成されており、開口部を設けることで外装部内部の空気循環を促している。
【０００５】
また、特許文献３に記載の照明器具は、放熱部が、基板が取り付けられる取付面の反対面より取付面の幅と略同幅になるよう垂直方向に形成された複数の放熱フィンを有しており、複数の放熱フィンが略平行に配設されている。また、基板側から照明器具を指示するブラケット備えたカバーが基板を覆うように取り付けられている。
この特許文献３の照明器具は、放熱部の放熱フィンが放射面積を大きく形成されているとともに、外装部が放熱フィンの根本方向のみを覆っている為、放熱フィンからの放熱を防ぐことなく、効率的に放熱している。
【先行技術文献】
【特許文献】
【０００６】
【特許文献１】特開２００６−２９４５２６号公報
【特許文献２】特開２０１４−０４９３４７号公報
【特許文献３】特開２０１１−１５４８３２号公報
【特許文献４】特開２０１４−０４４９００号公報
【特許文献５】特開２０１２−０４８９９６号公報
【発明の概要】
【発明が解決しようとする課題】
【０００７】
しかしながら、特許文献１の照明器具は、外装部は放熱用の溝孔は有しているが、溝孔以外は塞がれた状態であり外装部内部の空気循環がされず、効率的に放熱ができないという課題がある。
【０００８】
また、特許文献２に記載の照明器具は、外装部側面に形成された開口部から外装部内側に埃などが蓄積される。よって、効率的な放熱性能を維持する為、清掃などのメンテナンスを行う必要がある。
しかし、放熱部の清掃を行う際には、照明器具本体部をブラケットから取り外した後に、外装部を照明器具本体から取り外しており、メンテナンス作業が複雑になるという課題がある。
【０００９】
また、特許文献３に記載の照明器具は、取付面と略同幅の放熱フィンを有しているが、放熱部はアルミなどの放熱性能を有したアルミ鋳造成形により形成したものである。
板状で、大きな放熱面積を有した放熱フィンを形成する際には、板厚も大きくなる傾向にあり、重量化・大型化が考えられ、コスト面、意匠面において影響があるという課題がある。
【００１０】
また、特許文献１から特許文献３の照明器具に共通する点にて、基板が取り付けられた取付面の反対面が発光素子からの発熱影響により高温になるとともに、放熱する必要がある。しかしながら、特許文献１から特許文献３の照明器具は、放熱フィン根本付近が外装部により覆われており、基板取付裏面への空気循環が効率的に行えていないという課題がある。
【００１１】
本発明は、例えば、放熱効率を向上させるとともに、作業性および意匠性を向上させることを目的とする。
【課題を解決するための手段】
【００１２】
本発明に係る照明器具は、光源が取り付けられる基板取付面と、前記基板取付面の裏面の側に設けられた少なくとも２つの放熱フィンと、を備え、前記２つの放熱フィンの間に設けられ、前記光源に接続する電源線が挿入される電源挿通孔が形成された。
【発明の効果】
【００１３】
本発明に係る照明器具によれば、放熱効率を向上させるとともに、作業性および意匠性を向上させることができるという効果を奏する。
【図面の簡単な説明】
【００１４】
【図１】実施の形態１に係る照明器具の斜視図である。
【図２】実施の形態１に係る照明器具の横側面図である。
【図３】実施の形態１に係る照明器具の照明器具本体部の分解斜視図である。
【図４】実施の形態１に係る照明器具の放熱部の展開図であり、（ａ）は放熱部の側面図、（ｂ）は放熱部を放熱フィン部が形成された側（Ｚ方向側）から見た図である。
【図５】実施の形態１に係る放熱部の図４の（ｂ）に示すＡ−Ａ断面図である。
【図６】実施の形態１に係る外装部の斜視図である。
【図７】実施の形態１に係る照明器具の分解側面図である。
【図８】実施の形態１に係る照明器具の後方視点（放熱部上方向から見た）の分解斜視図である。
【図９】実施の形態１に係る照明器具本体部のアーム部に対する可動動作（ａ）〜（ｃ）を示す図である。
【図１０】実施の形態１に係る放熱部における仕切面のバリエーション（ａ）〜（ｃ）を示す図である。
【図１１】実施の形態１に係る放熱部の変形例を示す図である。
【発明を実施するための形態】
【００１５】
以下、本発明の実施の形態について、図を用いて説明する。なお、以下に説明する実施の形態によって本発明が限定されるものではない。また、以下の図面では各構成部の大きさの関係が実際のものとは異なる場合がある。また、実施の形態の説明において、「上」、「下」、「左」、「右」、「前」、「後」、「表」、「裏」といった方向や位置が示されている場合、それらの表記は、説明の便宜上、そのように記載しているだけであって、装置、器具、部品等の配置や向き等を限定するものではない。
【００１６】
実施の形態１．
図１は、本実施の形態に係る照明器具１の斜視図である。図２は、本実施の形態に係る照明器具１の横側面図である。図３は、本実施の形態に係る照明器具１の照明器具本体部１００の分解斜視図である。図４は、本実施の形態に係る照明器具１の放熱部２００の展開図であり、（ａ）は放熱部２００の側面図、（ｂ）は放熱部２００を放熱フィン部２１０が形成された側（Ｚ方向側）から見た図である。図５は、本実施の形態に係る放熱部２００の図４の（ｂ）に示すＡ−Ａ断面図である。
【００１７】
図１〜図５を用いて、本実施の形態に係る照明器具１の全体構成について説明する。
本実施の形態では、ライティングダクトなどに嵌着して使用するスポットライト型照明器具を、照明器具１の一例として説明する。
【００１８】
照明器具１は、ライティングダクト（図示なし）に嵌着する電源ブロック１０と、電源ブロック１０の下面側（ライティングダクトと反対側）に固定され、固定部を軸に水平方向に所定角度回動するコの字形状に形成された保持部２０と、保持部２０のコの字形状内側に固定される照明器具本体部１００とを備える。
照明器具本体部１００は、保持部２０に固定された箇所を軸として垂直方向（下方向）に所定角度回動する（図９等参照）。
【００１９】
図１〜３に示すように、照明器具本体部１００は、ＬＥＤなどの発光素子１１１が基板部１１２に実装された発光基板部１１０と、発光基板部１１０の前面に配設される配光カバー部１２０と、発光基板部１１０が取り付けられ発光基板部１１０から発生する熱を放熱する放熱部２００と、放熱部２００の一部を覆う外装部１３０とを備えている。
【００２０】
図１に示すように、保持部２０は、一対のアーム部２１を備える。保持部２０は、一対のアーム部２１のそれぞれの端部に設けられた固定部を備え、この固定部により回動可能に放熱部２００の側部を保持する。固定部は、アーム部２１の端部に形成された孔と、この孔に挿入され、アーム部２１と放熱部２００とを固定するネジとから構成される。
なお、固定部は、アーム部２１の孔及びネジから構成されていなくてもよい。例えば、一対のアーム部２１はそれぞれの端部から内側に突き出した突起を有し、この突起により放熱部２００を回動可能に保持する構成でもよい。また、放熱部２００が放熱部２００において固定部に対応する位置から突き出た突起を備え、この突起とアーム部２１に形成された孔とが係合することにより、放熱部２００が回動可能にアーム部２１に保持される構成でもよい。
【００２１】
また、図２に示すように、放熱部２００は、保持部２０に保持された状態で、一対のアーム部２１のそれぞれの端部に挿入されるネジ同士、すなわち一対のアーム部２１のそれぞれの固定部同士を結ぶ直線を軸２５として上下方向に回動する。
なお、保持部２０は、放熱部２００を回動可能に固定するアーム部２１を有していればよく、コの字形状でなくても構わない。例えば、保持部２０は、Ｕ字形状、Ｖ字形状、Ｉ字形状、Ｌ字形状などでもよい。
Ｌ字形状の保持部２０とは、例えば、保持部２０が電源ブロック１０に固定されている保持部固定部分（図１参照）から左右方向にＬ字状に形成された１対のアーム部２１のうち、いずれか一方のみのアーム部２１で放熱部２００を保持するものである。
Ｉ字形状の保持部２０とは、例えば、保持部２０が電源ブロック１０に固定されている保持部固定部分（図１参照）から放熱部２００に向かってＩ字状（棒状）に形成されたアーム部２１で放熱部２００を保持するものである。Ｉ字形状の保持部２０は、一方の端部が電源ブロック１０に固定され、他方の端部が放熱部２００における隣り合う放熱フィン部２１０同士の間に放熱部２００を回動可能に保持する。
【００２２】
発光基板部１１０は、ＬＥＤなどの複数の発光素子１１１が、円板形状をした基板部１１２に略等間隔に放射状に配置され実装されている。
また、発光基板部１１０は、発光素子１１１が実装された面（基板部表面１１０ｂ）の反対面（基板部裏面１１０ａ）が放熱部２００に当接し固定されている。
【００２３】
配光カバー部１２０は、透過性を有した樹脂などの部材を有底円筒形状に成形したものであり、発光基板部１１０の基板部表面１１０ｂを覆うように放熱部２００に保持されている。
また、配光カバー部１２０は、発光基板部１１０に対向する面に、発光素子１１１に対向するように略半円形状をした配光レンズ（図示なし）が配設されている。
【００２４】
なお、発光基板部１１０の形状は、円形でなくても構わない。楕円形、矩形、多角形、不定形等であっても、本実施の形態を適用することができる。
【００２５】
放熱部２００は、アルミニウムなど放熱性能を有した材料を成形したものである。放熱部２００は、発光基板部１１０が取り付けられる基板取付面２０１と、基板取付面２０１の反対面（基板取付裏面２０１ｂ）（図２参照）に形成された複数の放熱フィン部２１０とを備えている。
【００２６】
基板取付面２０１は、略円形状をしており発光基板部１１０が取り付けられる。
図３，図５に示すように、基板取付面２０１は、略円形状の周部より発光素子照射方向側へ略垂直に取付側辺部２０１ａが形成されており、取付側辺部２０１ａの内側に配光カバー部１２０が保持されている。また、取付側辺部２０１ａの外周には化粧部２０２（または前面放熱部）が形成されている。
また、基板取付面２０１には、発光基板部１１０が電源ブロック１０から電力供給を受ける為の電源線（図示なし）と接続する為の電源挿通孔２２０が形成されている。
【００２７】
化粧部２０２は、基板取付面２０１の略円形状周部より照射方向にいくに従って広角方向（外側へ広がる方向）へ形成されており、図５に示すように取付側辺部２０１ａの外周に配設されている。
また、化粧部２０２は、基板取付面２０１に固定された発光基板部１１０からの熱を、後述する放熱フィン部２１０とともに放熱している。
【００２８】
図４，図５に示すように、基板取付面２０１の発光基板部１１０が取り付けられる面の反対面を基板取付裏面２０１ｂとする。基板取付裏面２０１ｂには、複数の放熱フィン部２１０が基板取付裏面２０１ｂに立つように形成されている。
放熱フィン部２１０は、隣り合う２つの放熱フィン２１１と、この隣り合う２つの放熱フィン２１１を連結するフィン連結部２１２とを備える。
放熱フィン部２１０は、図４の（ｂ）に示すように、基板取付裏面２０１ｂの中央に開放部２０１ｃを形成するように放射状に配設された放熱フィン２１１のうち、隣接する放熱フィン２１１の２個をフィン連結部２１２により連結して、一体に構成したものである。
よって、本実施の形態では放熱フィン２１１が１２個配設されており、放熱フィン部２１０が６個配設されている。
【００２９】
放熱フィン２１１は、図５に示すように、略台形の板状であり、内側面は基板取付裏面２０１ｂから略垂直に立ち上がっており、外側面２１１ａは基板取付裏面２０１ｂから徐々に内側に傾斜するよう形成されている。放熱フィン２１１の上面は、基板取付裏面２０１ｂの中央部に向かって徐々に基板取付裏面２０１ｂの方に傾斜している。放熱フィンの外側面２１１ａにあたる傾斜は、化粧部２０２の外周面２０２ａの傾斜と略同一の傾斜角度で形成されている。
【００３０】
図４（ａ）に示すように、放熱部２００において、発光素子の照射方向と反対方向、すなわち、放熱フィン２１１の先端の方向を放熱部上方向とする。
放熱フィン２１１は、放熱部上方向にいくに従い、徐々に板厚が薄くなるよう形成されている。つまり、放熱フィン２１１は、基板取付裏面２０１ｂ側から先端にいくに従って、徐々に板厚が薄くなる。
【００３１】
放熱フィン２１１は、高温となる基板取付裏面２０１ｂ近傍では、板厚が厚い為、熱抵抗が小さくなる。また、放熱フィン２１１は、放熱効果により温度が抑制されていく放熱部上方向にいくに従って、徐々に板厚が薄くなる為、熱抵抗が徐々に大きくなる。
このように、本実施の形態に係る放熱フィン２１１によれば、放熱フィン２１１を均一の板厚にするよりも、放熱フィン２１１の部位により必要な放熱温度を考慮した（熱抵抗を有する）板厚にしており、重量の削減をする事ができる。よって、製造コストを低減させることができる。
なお、放熱フィン２１１は、上方向にいくにつれ（連続的に）板厚が薄くなる形状であり鋳造成形、ダイカスト成形で上方向へ金型が抜きやすい形状であり、成形性に長けている形状である。
なお、放熱フィンの形状は、徐々に薄くなるような形状でなくてもよく、段階的に薄くなる形状でもよい。
【００３２】
フィン連結部２１２は、基板取付裏面２０１ｂから突き出して隣り合う２つの放熱フィン２１１を連結する。フィン連結部２１２は、隣り合う放熱フィン２１１同士の間の基板取付裏面２０１ｂ側、かつ、基板取付裏面２０１ｂ中央部側を充てんすることにより、２つの放熱フィン２１１を連結する。フィン連結部２１２は、隣り合う放熱フィン２１１同士の間の基板取付裏面２０１ｂ側、かつ、基板取付裏面２０１ｂの中央部側に、柱状に形成される。
【００３３】
フィン連結部２１２は、放熱フィン２１１の基板取付裏面２０１ｂの中央部側（中央の開放部２０１ｃ側）に配設されている。また、フィン連結部２１２の基板取付裏面２０１ｂから先端までの高さは、放熱フィン２１１の基板取付裏面２０１ｂから放熱フィン２１１の先端までの高さより短く形成されている。このため、放熱フィン部２１０の先端には凹形状をした放熱フィン先端凹部２１０ａが形成される（図４参照）。
この放熱フィン先端凹部２１０ａにより、放熱部２００を放熱部上方向から見た場合（図４（ｂ））の意匠性が向上する。
【００３４】
フィン連結部２１２の放熱部上方向の上面は、放熱部２００を金型から押し出すときの押し出しピンのボス部（基部）となる。よって、フィン連結部２１２の上面と放熱フィン２１１の先端との差分（放熱フィン先端凹部２１０ａの凹み幅）は、押し出しピンがフィン連結部２１２の上面に届く程度の長さとする。
また、フィン連結部２１２の上面の広さは、押し出しピンのボス部として機能する程度の広さとなる。フィン連結部２１２の上面の広さは、例えば、押し出しピンの先端面の直径などにより決まる。フィン連結部２１２の上面のうち外装固定孔２１４が形成される上面の広さは、外装固定孔２１４が固定孔として機能するように外装固定孔２１４の周囲の肉厚が薄くなりすぎない程度の広さとする。
【００３５】
また、フィン連結部２１２は、放熱フィン２１１の補強効果を果たしており、放熱部２００をアルミなどで鋳造成形する際に、成形金型の受部・ボスの機能を果たすとともに、成形時の加圧に対する放熱フィン２１１の補強となるものである。
【００３６】
なお、成形形状によってはフィン連結部２１２を減らしてもよいが、フィン連結部２１２を設けない場合は、放熱フィン形状自体で強度を維持する必要があり、巾を大きくする、板厚を厚くするなど意匠、コスト面を考慮する必要がある。
また、本実施の形態では、放熱フィン部２１０は、２つの放熱フィン２１１と、この２つの放熱フィン２１１を連結するフィン連結部２１２とを備えるが、フィン連結部２１２により連結される放熱フィン２１１は２つでなくてもよい。例えば、３つあるいは４つの放熱フィン２１１が連結されていてもよい。
また、金型から取り出すときに押し出しピンがフィン連結部を押すようにすることで、押し出しピン用のボスを別途設ける必要がなくなり、意匠性が向上する。
【００３７】
放熱フィン部２１０は、２つの放熱フィン２１１とフィン連結部２１２から構成されているが、基板取付裏面２０１ｂにおける配設箇所に応じて、切り欠きなどが形成されている。
たとえば、図４の（ｂ）に示すように、放熱フィン部２１０と放熱フィン部２１０の間には、アーム部２１と連結するアーム連結孔２１３ａを有したアーム連結部２１３が形成されている。アーム連結部２１３の下方向（図４の（ａ）（ｂ）におけるＹ軸下方向）に隣接する放熱フィン２１１には、照明器具本体部１００が所定角度回動できるように、一部が切り欠かれた切り欠き２１３１が形成されている。
【００３８】
また、図４の（ｂ）におけるＸ軸方向中央に位置する一対のフィン連結部２１２の先端には外装部１３０を固定する為の外装固定孔２１４（外装固定部）が形成されている。外装固定孔２１４には、後述する外装部１３０の第２突起部１３５（図６参照）が当接され、ねじ１３０２（図７，８参照）などにより外装部１３０が取り付けられる。
【００３９】
また、図４の（ａ）（ｂ）におけるＹ軸下方向に配設された２つの放熱フィン部２１０の放熱フィン２１１には、後述する外装部１３０の第１突起部１３４（図６参照）が係合する為の外装取付用切欠部２１５と外装挿入孔２１６とが形成されている。
【００４０】
また、隣接する放熱フィン部２１０と放熱フィン部２１０との間は、空隙２１８が形成される。この空隙２１８は、放熱フィン２１１の板厚変化に応じて、基板取付裏面２０１ｂ側が狭く、放熱部上方向にいくにつれて広くなるように形成されており、効果的に空気循環ができるようになっている。
【００４１】
図６は、本実施の形態に係る外装部１３０の斜視図である。図７は、本実施の形態に係る照明器具１の分解側面図である。図８は、本実施の形態に係る照明器具１の後方視点（放熱部上方向から見た）の分解斜視図である。図９は、本実施の形態に係る照明器具本体部１００のアーム部２１に対する可動動作（ａ）〜（ｃ）を示す図である。図１０は、本実施の形態に係る放熱部２００における仕切面１３０１のバリエーション（ａ）〜（ｃ）を示す図である。図１１は、本実施の形態に係る放熱部２００の変形例を示す図である。
【００４２】
図６に示す外装部１３０は、放熱フィン部２１０の一部を覆うものである。
図７に示すように、放熱部２００は、アーム連結孔２１３ａ（アーム部２１の固定部）を結ぶ線を軸２５として、上下方向に回動する。このとき、軸２５を含み基板取付裏面２０１ｂと略直交する面を仕切面１３０１とする。仕切面１３０１は、仮想的に設定される面である。外装部１３０は、放熱部２００に設けられた放熱フィン部２１０において、放熱部２００が回動する場合に外側となる放熱フィン部２１０の部分を覆うように、放熱フィン部２１０に取り付けられる。
図９に示すように、外装部１３０により覆われる放熱フィン部２１０は、照明器具本体部１００（放熱部２００）が保持部２０に固定されアーム連結孔２１３ａを軸２５として図９（ａ）から図９（ｂ）まで回動したとき、仕切面１３０１より外側に位置する放熱フィン部２１０である。
【００４３】
図６に示すように、外装部１３０は、両端部が開口する略半円筒形である。外装部１３０は、照射方向側の端部である前円弧部１３１より、放熱部上方向側の端部である後円弧部１３２が小さく形成されている。前円弧部１３１は、外装部１３０において、照射方向側に開口１３７を形成する周縁部である。
外装部１３０は、前円弧部１３１と後円弧部１３２との円中心が同軸になるように形成される。外装部１３０は、側面は放熱フィン２１１の外側面２１１ａ（図５参照）の傾斜に応じるよう傾斜側面部１３３が形成されている。
【００４４】
傾斜側面部１３３は、前円弧部１３１側の内側側面（内壁１３３ｃ）に側面凸部１３３ａ，１３３ｂが形成されている。側面凸部１３３ａには、前円弧部１３１から突出するように第１突起部１３４が配設されている。
また、傾斜側面部１３３は、後円弧部１３２側の内側側面（内壁１３３ｃ）から略円中央方向に突き出した第２突起部１３５（係合部）が形成される。第２突起部１３５には、外装部１３０略半円筒形の軸方向に貫通する固定孔１３５ａが形成される。
【００４５】
なお、第１突起部１３４、第２突起部１３５は、傾斜側面部１３３と一体に形成されたものでも良く、別体のものを組み合わせても良い。
また、放熱部２００の外装挿入孔２１６に替えて、第１突起部１３４に相当する第１突起部１３４’’（図示なし）を形成し、側面凸部１３３ａ側に第１突起部１３４’’（図示なし）を挿入するための挿入孔を設けてもよい。
なお、別体で形成された第１突起部１３４’（図示なし）を、放熱部２００の外装挿入孔２１６（図４参照）に予め固定し、側面凸部１３３ａ側に、外装挿入孔２１６に挿入された第１突起部１３４’（図示なし）を挿入するための挿込孔を設けてもよい。
【００４６】
外装部１３０では、前円弧部１３１と後円弧部１３２との円中心は同軸になるように配設されているが、前円弧部１３１側より後円弧部１３２側は円周角度が大きく形成されている。よって、外装部１３０の後円弧部１３２側は、前円弧部１３１側より多くの放熱フィン部２１０を覆っている。
【００４７】
また、傾斜側面部１３３には、アーム用切欠部１３６が形成されている。アーム用切欠部１３６（切欠部）は、保持部２０に照明器具本体部１００を回動自在に取り付けた場合に、外装部１３０がアーム部２１に干渉しないように形成された切り欠きである。
【００４８】
次に、図７及び図８を用いて、外装部１３０を放熱部２００へ取り付ける取り付け方法について説明する。
まず、外装部１３０は、放熱部２００へ、図７に示す矢印方向へ挿し込まれる。このとき、第１突起部１３４は外装挿入孔２１６に挿し込まれる。
また、第２突起部１３５（係合部）は、外装固定孔２１４（外装固定部）を有する放熱フィン部２１０の放熱フィン先端凹部２１０ａに嵌入される。第２突起部１３５（係合部）は、外装固定孔２１４（外装固定部）と係合する。第２突起部１３５は外装固定孔２１４と同軸に配置され、ねじ１３０２などの螺合手段により第２突起部１３５は外装固定孔２１４が形成されたフィン連結部２１２へ固定される。これにより、外装部１３０は放熱部２００に固定される。第２突起部１３５と外装固定孔２１４との係合方法は、ねじ止め以外の方法、例えば、嵌め合い構造などでもよい。
【００４９】
なお、外装部１３０の第１突起部１３４が外装挿入孔２１６に挿し込まれた際、側面凸部１３３ａが外装取付用切欠部２１５の底部（外装挿入孔２１６が形成される面部）に当接する。図７に示すように、外装挿入孔２１６は、基板取付裏面２０１ｂから先端の方（放熱部上方向）に所定幅（Ｌ１）ずれた位置に形成されている。よって、外装部１３０の前円弧部１３１と基板取付裏面２０１ｂとの間に所定幅（Ｌ１）の隙間部１０１（図２参照）が形成される。言い換えると、前円弧部１３１と基板取付裏面２０１ｂとの間に所定幅の隙間部１０１が形成されるように、外装取付用切欠部２１５が設けられる。
【００５０】
外装部１３０は、第１突起部１３４と外装挿入孔２１６とによる第１接続部と、第２突起部１３５と外装固定孔２１４による第２接続部とにより、照明器具本体部１００の後方より挿し込む事で固定ができるとともに、照明器具本体部１００が保持部２０に接続していても容易に着脱する事ができる。
また、外装部１３０がアーム用切欠部１３６を有していることで、照明器具本体部１００が所定の方向へ回動するとき、外装部１３０とアーム部２１とが干渉しないで回動することができる。
【００５１】
図７及び図９に示すように、外装部１３０は、アーム連結孔２１３ａを通る軸２５を含むとともに基板取付裏面２０１ｂと略直交する面を仕切面１３０１として、照明器具本体部１００が保持部２０に固定され軸２５を中心に回動したとき、仕切面１３０１から外側に位置する放熱部２００を覆うように取り付けられる。
【００５２】
照明器具本体部１００は、図９の（ａ）から図９の（ｃ）まで回動する。
図９の（ａ）は、発光素子の照射方向が略水平方向となる状態であり、この状態を放熱部２００の第１状態とする。また、図９の（ｃ）は、発光素子の照射方向が略下方向となる状態であり、この状態を放熱部２００の第２状態とする。
仕切面１３０１から外側に位置する放熱フィン部２１０とは、複数の放熱フィン部２１０のうち、照明器具本体部１００が回動する場合に、アーム部２１が外側面２１１ａ近傍を通過しない放熱フィン部２１０（放熱フィン２１１）のことである。よって、放熱フィン部２１０の２つの放熱フィン２１１のうち、一方が外装部１３０に覆われ、他方が外外装部１３０に覆われない場合もある。
【００５３】
外装部１３０が、仕切面１３０１から外側に位置する放熱フィン２１１を覆っていることにより、照明器具１が所定の方向（例えば、図９の（ａ）または（ｂ）など）を照射しているときに、下方向から電源線などが見え難くなる。また、化粧部２０２と傾斜側面部１３３は傾斜が略同一の直線上になるよう形成されている（図９（ａ）参照）。よって、照明器具１の意匠性が向上する。
なお、図９（ａ）に示すように、化粧部２０２の外周面２０２ａと外装部１３０の傾斜側面部１３３とは、一直線状になるように形成されているが、直線でなくとも滑らかな曲線状となるように形成してもよい。つまり、化粧部２０２の外周面２０２ａと外装部１３０の傾斜側面部１３３とが、全体としてあたかも１つの連続する滑らかな曲面（略連続する曲面、略面一形状）をなすように形成される。このように、化粧部２０２と外装部１３０とを形成することにより、意匠性が向上する。
【００５４】
図１０は、本実施の形態に係る仕切面１３０１のバリエーション（ａ）〜（ｃ）を示す図である。
図１０の（ａ）は、上述してきたように、軸２５を含み、基板取付裏面２０１ｂに略直交する仕切面１３０１を示す。斜線により覆われた放熱フィン部２１０の部分Ｒ１は、仕切面１３０１より外側に位置する放熱フィン部２１０を示している。
図１０の（ｂ）は、軸２５を含み、外側に傾斜するように基板取付裏面２０１ｂと交差する仕切面１３０１ａを示す。図１０の（ｂ）に示す仕切面１３０１ａによれば、放熱フィン部２１０を覆う部分Ｒ２が図１０の（ａ）のＲ１よりも狭くなるので、外装部１３０を小型化することができ、意匠性を保ちつつ製造コストを低減することができる。
図１０の（ｃ）は、軸２５を含み、内側に傾斜するように基板取付裏面２０１ｂと交差する仕切面１３０１ｂを示す。図１０の（ｃ）に示す仕切面１３０１ｂによれば、放熱フィン部２１０を覆う部分Ｒ３が図１０の（ａ）のＲ１よりも広くなり、より多くの放熱フィン部２１０を覆うので、意匠性がより向上する。
【００５５】
次に、放熱効果に関して説明する。
放熱部２００は、基板取付面２０１の発光基板部１１０の点灯に伴う発熱を放熱フィン部２１０により放熱する。
放熱フィン部２１０の放熱フィン２１１は、板厚が基板取付裏面２０１ｂ側が厚く、放熱部上方向（発光素子の照射方向と反対方向）にいくに従い薄くなるよう形成されており、高温となる基板取付裏面２０１ｂでは熱抵抗が小さく（板厚が厚い為）、放熱効果により温度が抑制されていく放熱部上方向にいくに従って熱抵抗が大きくなる。
【００５６】
また、放熱部２００は、放熱フィン部２１０が、隣接する放熱フィン部２１０との間に空隙２１８を設けるよう配設されているとともに、外装部１３０の前円弧部１３１と基板取付裏面２０１ｂとの間には隙間部１０１（図２参照）が形成されている。そして、空隙２１８と隙間部１０１とは連通している。よって、一番高温になると予測される基板取付裏面２０１ｂ周部の空気循環を促進し、放熱効果を向上させている。
【００５７】
また、隙間部１０１を有していることにより、放熱部２００内部への埃などが抜けやすくしており、埃などの蓄積による放熱部２００の空気循環、放熱能力の低下が起こりにくくなるようにしている。
【００５８】
本実施の形態では、放熱部２００は、板厚が基板取付裏面２０１ｂ側が厚く、放熱部上方向（発光素子１１１の照射方向と反対方向）にいくに従い薄くなるよう形成された放熱フィン２１１を有しており、隣接する２つの放熱フィン２１１はフィン連結部２１２により一体に形成されている。
このような放熱部上方向へ板厚が薄くなる傾斜により、アルミ鋳造（もしくはインジェクション成形）などで放熱部２００を成形する際、放熱部上方向（発光基板と反対方向）へ成形金型が抜きやすくなっているとともに、フィン連結部２１２が成形時の放熱フィン２１１の補強効果を果たしおり、放熱部２００は容易に成形する事ができる。
また、放熱フィン２１１は、フィン連結部２１２と一体に形成されていることで、放熱フィン２１１単体で成形するよりも板厚を薄くできる。また、板厚を薄くした事によって、放熱フィン部２１０の配設数を増やす事ができ、さらに放熱効果を高くすることができる。
【００５９】
本実施の形態では、外装部１３０は、第１突起部１３４と外装挿入孔２１６とによる第１接続部と、第２突起部１３５と外装固定孔２１４とによる第２接続部とにより、照明器具本体部１００の後方より挿し込む事で固定ができるとともに、照明器具本体部１００がアーム部２１に接続していても着脱する事ができる。
よって、製品組立の組立順番の制限をなくす事ができ、組立作業を容易にしている。また、清掃などのメンテナンスの際も、外装部１３０を容易に着脱する事ができる。
【００６０】
本実施の形態では、放熱部２００は、放熱フィン２１１が基板取付裏面２０１ｂ側の板圧が厚く、上方向（発光素子の照射方向と反対方向）にいくに従い薄くなるよう形成されており、高温となる基板取付裏面２０１ｂでは熱抵抗が小さく形成されているとともに、隣接する放熱フィン部２１０は隙間を設け配設されるとともに、外装部１３０と基板取付裏面２０１ｂの間に隙間部１０１が形成されていることで、基板取付裏面２０１ｂ周部の空気循環を効率的に行っている。
【００６１】
図１１は、本実施の形態における放熱部２００の変形例（ａ）（ｂ）を示す図である。
本実施の形態では、基板取付裏面２０１ｂにおける各部の配置を図４の（ｂ）を用いて説明したが、図１１の（ａ）のよう放熱フィン部２１０’の内側（２つの放熱フィン２１１’の間）にアーム連結部２１３’を配設してもよい。アーム連結部２１３’は、２つの放熱フィン２１１’を連結するフィン連結部２１２’の外側面に形成される。また、外装固定孔２１４は、このフィン連結部２１２’の上端面に形成される。
図１１の（ａ）のような構成とすることにより、図４の（ｂ）ではアーム連結部２１３となっていた部分に空隙２１８ａが形成される。よって、基板取付裏面２０１ｂへの空気注入口を増やすことができ、放熱効率を向上させることができる。
【００６２】
また、図１１の（ｂ）に示すように電源挿通孔２２０’はＹ軸下側に配設してもよく、電源線（図示なし）をフィン連結部２１２もしくは放熱フィン部２１０の放熱フィン先端凹部２１０ａに固定し、可動するときの電源線の支持部などにしてもよい。
【００６３】
本実施の形態では、以下のような照明器具について説明した。
本実施の形態に係る照明器具は、アーム部と、前記アーム部に回動可能に取り付けられた照明器具本体部を有する。前記照明器具本体部は、発光素子が実装される発光基板を表面に取り付けるとともに、裏面に前記裏面の中央部から前記裏面の縁部に向かう方向に放射状に配設され、前記発光素子から発せられる熱を放熱する複数の放熱フィン部を備える放熱部を備える。前記放熱部は、前記複数の放熱フィン部のうち隣り合う２つの放熱フィン部の間に形成された空隙から前記裏面の中央部に渡って開放された開放部と、前記隣り合う２つの放熱フィン部の間かつ前記裏面に形成され、電源線を挿入する電源挿通孔とを備える。
【００６４】
前記放熱部は、前記複数の放熱フィン部の各放熱フィン部同士が離れて配置された。
【００６５】
前記複数の放熱フィン部の各放熱フィン部は、前記裏面から先端にいくに従って徐々に板厚が薄くなる板状のフィンを備えた。
【００６６】
以上、本発明の実施の形態について説明したが、この実施の形態を部分的に実施しても構わない。あるいは、この実施の形態のうちの２つ以上の部分を組み合わせて実施しても構わない。なお、本発明は、この実施の形態に限定されるものではなく、必要に応じて種々の変更が可能である。
【符号の説明】
【００６７】
１  照明器具、１０  電源ブロック、２０  保持部、２１  アーム部、２５  軸、１００  照明器具本体部、１０１  隙間部、１１０  発光基板部、１１０ａ  基板部裏面、１１０ｂ  基板部表面、１１１  発光素子、１１２  基板部、１２０  配光カバー部、１３０  外装部、１３１  前円弧部、１３２  後円弧部、１３３  傾斜側面部、１３３ａ，１３３ｂ  側面凸部、１３３ｃ  内壁、１３４  第１突起部、１３５  第２突起部、１３５ａ  固定孔、１３６  アーム用切欠部、１３７  開口、２００  放熱部、２０１  基板取付面、２０１ａ  取付側辺部、２０１ｂ  基板取付裏面、２０１ｃ  開放部、２０２  化粧部、２０２ａ  外周面、２１０  放熱フィン部、２１０ａ  放熱フィン先端凹部、２１１  放熱フィン、２１１ａ  外側面、２１２  フィン連結部、２１３  アーム連結部、２１３ａ  アーム連結孔、２１４  外装固定孔、２１５  外装取付用切欠部、２１６  外装挿入孔、２１８，２１８ａ  空隙、２２０  電源挿通孔、１３０１  仕切面、１３０２  ねじ、２１３１  切り欠き。
【図１】
2020115470.tif 000003
【図２】
2020115470.tif 000004
【図３】
2020115470.tif 000005
【図４】
2020115470.tif 000006
【図５】
2020115470.tif 000007
【図６】
2020115470.tif 000008
【図７】
2020115470.tif 000009
【図８】
2020115470.tif 000010
【図９】
2020115470.tif 000011
【図１０】
2020115470.tif 000012
【図１１】
2020115470.tif 000013